(57)【要約】      （修正有）【課題】密かに盗難車の位置をリアルタイムに追跡する。【解決手段】本出願は端末を測位するための方法、装置、電子デバイス、コンピュータ可読記憶媒体及びコンピュータプログラムを開示し、端末セキュリティ、自動運転の技術分野に関する。具体的な実現案は、管理端末から送信される第１情報を受信する場合、第１情報が所定の第１文字列を含むか否かを特定するステップと、第１情報が第１文字列を含むと特定する場合、位置情報を特定するステップと、ネットワーク接続状態を特定するステップと、ネットワーク接続状態に基づいて、位置情報を出力するステップと、を含む。本実現形態によれば、端末を非常に密かに測位及び追跡し、端末のセキュリティを向上させることができる。【選択図】図２
2022003327.tif 000002
【特許請求の範囲】
【請求項１】
管理端末から送信される第１情報を受信する場合、前記第１情報が所定の第１文字列を含むか否かを特定するステップと、
前記第１情報が前記第１文字列を含むと特定する場合、被管理端末の位置情報を特定するステップと、
ネットワーク接続状態を特定するステップと、
前記ネットワーク接続状態に基づいて、前記位置情報を出力するステップと
を含む端末を測位するための方法。
【請求項２】
前記第１情報が前記第１文字列を含むと特定する場合、盗難防止設定を行うステップをさらに含む請求項１に記載の方法。
【請求項３】
前記ネットワーク接続状態に基づいて、前記位置情報を出力する前記ステップは、
前記ネットワーク接続状態がネットワークアクセス可能状態である場合、前記位置情報をサーバに出力するステップを含む請求項１に記載の方法。
【請求項４】
前記被管理端末に第１ＳＩＭカードが装着されており、
前記ネットワーク接続状態に基づいて、前記位置情報を出力する前記ステップは、
前記ネットワーク接続状態がネットワークアクセス不能状態である場合、前記第１ＳＩＭカードの識別子に対応する基地局識別子及びセル識別子を取得するステップと、
解析を行うように、前記基地局識別子及び前記セル識別子を前記管理端末に送信するステップと、を含む請求項３に記載の方法。
【請求項５】
前記管理端末に第２ＳＩＭカードが装着されており、
バインディングを行うように、前記第１ＳＩＭカードの識別子、前記第２ＳＩＭカードの識別子及び前記被管理端末のデバイス識別子を前記サーバに送信するステップをさらに含む請求項１−４のいずれか一項に記載の方法。
【請求項６】
前記管理端末から送信される第２情報を受信する場合、前記第２情報が所定の第２文字列を含むか否かを特定するステップと、
前記第２情報が所定の第２文字列を含むと特定する場合、前記盗難防止設定を解除するステップと、をさらに含む請求項２に記載の方法。
【請求項７】
被管理端末から送信される第３情報を受信する場合、前記第１メッセージが基地局識別子及びセル識別子を含むか否かを特定するステップであって、前記第３情報は、前記被管理端末が管理端末から送信される所定の第１文字列を含むメッセージに応答して、ネットワーク接続状態に応じて送信されるステップと、
前記第３情報が基地局識別子及びセル識別子を含むと特定する場合、前記被管理端末を測位するように前記基地局識別子及び前記セル識別子をサーバに送信するステップと
を含む端末を測位するための方法。
【請求項８】
前記サーバから送信される地図データを受信する場合、自己位置情報を取得するステップであって、前記地図データは前記サーバが前記基地局識別子及び前記セル識別子に応じて対応する範囲情報を特定した後に送信されるステップと、
前記地図データに前記自己位置情報及び前記範囲情報を表示するステップと、をさらに含む請求項７に記載の方法。
【請求項９】
前記被管理端末に第１ＳＩＭカードが装着され、前記管理端末に第２ＳＩＭカードが装着されており、
バインディングを行うように、前記第１ＳＩＭカードの識別子、前記第２ＳＩＭカードの識別子及び前記被管理端末のデバイス識別子を前記サーバに送信するステップをさらに含む請求項７に記載の方法。
【請求項１０】
端末から送信される第４情報を受信する場合、前記第４情報に含まれるＳＩＭカードの識別子を特定するステップと、
前記第４情報を解析し、位置情報を特定するステップと、
前記ＳＩＭカードの識別子に基づいて、前記位置情報を出力するステップと
を含む端末を測位するための方法。
【請求項１１】
前記第４情報は基地局識別子及びセル識別子を含み、
前記第４情報を解析し、位置情報を特定する前記ステップは、
前記基地局識別子及び前記セル識別子に対応する範囲情報を位置情報として特定するステップを含む請求項１０に記載の方法。
【請求項１２】
前記ＳＩＭカードの識別子に基づいて、前記位置情報を出力する前記ステップは、
前記ＳＩＭカードの識別子及び所定の管理端末ＳＩＭカード識別子リストに応じて、前記端末が管理端末であるか否かを特定するステップと、
前記端末が管理端末であると特定する場合、前記位置情報を前記端末に出力するステップと、
前記端末が管理端末ではないと特定する場合、前記位置情報を前記端末とバインディングされる管理端末に出力するステップと、を含む請求項１１に記載の方法。
【請求項１３】
前記被管理端末に第１ＳＩＭカードが設置され、前記管理端末に第２ＳＩＭカードが設置されており、
前記第１ＳＩＭカードの識別子、被管理端末のデバイス識別子及び前記第２ＳＩＭカードの識別子を受信するステップと、
受信した識別子をバインディング記憶し、前記第２ＳＩＭカードの識別子を管理端末ＳＩＭカード識別子リストに追加するステップと、をさらに含む請求項１２に記載の方法。
【請求項１４】
前記位置情報を含む地図データを出力するステップをさらに含む請求項１０−１３のいずれか一項に記載の方法。
【請求項１５】
管理端末から送信される第１情報を受信する場合、前記第１情報が所定の第１文字列を含むか否かを特定するように構成される第１判断ユニットと、
前記第１情報が前記第１文字列を含むと特定する場合、被管理端末の位置情報を特定するように構成される位置特定ユニットと、
ネットワーク接続状態を特定するように構成されるネットワーク特定ユニットと、
前記ネットワーク接続状態に基づいて、前記位置情報を出力するように構成される第１位置出力ユニットと
を含む端末を測位するための装置。
【請求項１６】
前記第１情報が前記第１文字列を含むと特定する場合、盗難防止設定を行うように構成される盗難防止設定ユニットをさらに含む請求項１５に記載の装置。
【請求項１７】
前記被管理端末に第１ＳＩＭカードが装着されており、
前記第１位置出力ユニットはさらに、
前記ネットワーク接続状態がネットワークアクセス可能状態である場合、前記位置情報をサーバに出力するように構成される請求項１５に記載の装置。
【請求項１８】
前記第１位置出力ユニットはさらに、
前記ネットワーク接続状態がネットワークアクセス不能状態である場合、前記第１ＳＩＭカードの識別子に対応する基地局識別子及びセル識別子を取得し、
解析を行うように、前記基地局識別子及び前記セル識別子を前記管理端末に送信するように構成される請求項１７に記載の装置。
【請求項１９】
前記管理端末に第２ＳＩＭカードが装着されており、
バインディングを行うように、前記第１ＳＩＭカードの識別子、前記第２ＳＩＭカードの識別子及び前記被管理端末のデバイス識別子を前記サーバに送信するように構成される第１識別子送信ユニットをさらに含む請求項１５−１８のいずれか一項に記載の装置。
【請求項２０】
前記管理端末から送信される第２情報を受信する場合、前記第２情報が所定の第２文字列を含むか否かを特定し、
前記第２情報が所定の第２文字列を含むと特定する場合、前記盗難防止設定を解除するように構成される盗難防止解除ユニットをさらに含む請求項１６に記載の装置。
【請求項２１】
被管理端末から送信される第３情報を受信する場合、前記第１メッセージが基地局識別子及びセル識別子を含むか否かを特定するように構成される第２判断ユニットであって、前記第３情報は、前記被管理端末が管理端末から送信される所定の第１文字列を含むメッセージに応答して、ネットワーク接続状態に応じて送信される第２判断ユニットと、
前記第３情報が基地局識別子及びセル識別子を含むと特定する場合、前記被管理端末を測位するように前記基地局識別子及び前記セル識別子をサーバに送信するように構成される情報送信ユニットと
を含む端末を測位するための装置。
【請求項２２】
前記サーバから送信される地図データを受信する場合、自己位置情報を取得するように構成される位置取得ユニットであって、前記地図データは前記サーバが前記基地局識別子及び前記セル識別子に応じて対応する範囲情報を特定した後に送信される位置取得ユニットと、
前記地図データに前記自己位置情報及び前記範囲情報を表示するように構成される位置表示ユニットと、をさらに含む請求項２１に記載の装置。
【請求項２３】
前記被管理端末に第１ＳＩＭカードが装着され、前記管理端末に第２ＳＩＭカードが装着されており、
バインディングを行うように、前記第１ＳＩＭカードの識別子、前記第２ＳＩＭカードの識別子及び前記被管理端末のデバイス識別子を前記サーバに送信するように構成される第２識別子送信ユニットをさらに含む請求項２１に記載の装置。
【請求項２４】
端末から送信される第４情報を受信する場合、前記第４情報に含まれるＳＩＭカードの識別子を特定するように構成される第３判断ユニットと、
前記第４情報を解析し、位置情報を特定するように構成される情報解析ユニットと、
前記ＳＩＭカードの識別子に基づいて、前記位置情報を出力するように構成される第２位置出力ユニットと
を含む端末を測位するための装置。
【請求項２５】
前記第４情報は基地局識別子及びセル識別子を含み、
前記情報解析ユニットはさらに、前記基地局識別子及び前記セル識別子に対応する範囲情報を位置情報として識別するように構成される請求項２４に記載の装置。
【請求項２６】
前記第２位置出力ユニットはさらに、
前記ＳＩＭカードの識別子及び所定の管理端末ＳＩＭカード識別子リストに応じて、前記端末が管理端末であるか否かを識別し、
前記端末が管理端末であると識別する場合、前記位置情報を前記端末に出力し、
前記端末が管理端末ではないと識別する場合、前記位置情報を前記端末とバインディングされる管理端末に出力するように構成される請求項２５に記載の装置。
【請求項２７】
前記被管理端末に第１ＳＩＭカードが設置され、前記管理端末に第２ＳＩＭカードが設置されており、
前記第１ＳＩＭカードの識別子、被管理端末のデバイス識別子及び前記第２ＳＩＭカードの識別子を受信し、
受信した識別子をバインディング記憶し、前記第２ＳＩＭカードの識別子を管理端末ＳＩＭカード識別子リストに追加するように構成されるバインディングユニットをさらに含む請求項２６に記載の装置。
【請求項２８】
前記位置情報を含む地図データを出力するように構成される地図出力ユニットをさらに含む請求項２４−２７のいずれか一項に記載の装置。
【請求項２９】
少なくとも１つのプロセッサと、
前記少なくとも１つのプロセッサに通信可能に接続されたメモリと
を含み、
前記メモリには、前記少なくとも１つのプロセッサによって実行可能な命令が記憶されており、前記命令が前記少なくとも１つのプロセッサにより実行されると、請求項１−６のいずれか１項に記載の方法を前記少なくとも１つのプロセッサに実行させる端末を測位するための電子デバイス。
【請求項３０】
少なくとも１つのプロセッサと、
前記少なくとも１つのプロセッサに通信可能に接続されたメモリと
を含み、
前記メモリには、前記少なくとも１つのプロセッサによって実行可能な命令が記憶されており、前記命令が前記少なくとも１つのプロセッサにより実行されると、請求項７−９のいずれか１項に記載の方法を前記少なくとも１つのプロセッサに実行させる端末を測位するための電子デバイス。
【請求項３１】
少なくとも１つのプロセッサと、
前記少なくとも１つのプロセッサに通信可能に接続されたメモリと
を含み、
前記メモリには、前記少なくとも１つのプロセッサによって実行可能な命令が記憶されており、前記命令が前記少なくとも１つのプロセッサにより実行されると、請求項１０−１４のいずれか１項に記載の方法を前記少なくとも１つのプロセッサに実行させる端末を測位するための電子デバイス。
【請求項３２】
請求項１−６のいずれか１項に記載の方法を前記コンピュータに実行させるためのコンピュータ命令が記憶されている非一時的なコンピュータ可読記憶媒体。
【請求項３３】
請求項７−９のいずれか１項に記載の方法を前記コンピュータに実行させるためのコンピュータ命令が記憶されている非一時的なコンピュータ可読記憶媒体。
【請求項３４】
請求項１０−１４のいずれか１項に記載の方法を前記コンピュータに実行させるためのコンピュータ命令が記憶されている非一時的なコンピュータ可読記憶媒体。
【請求項３５】
プロセッサにより実行されると、請求項１−１４のいずれか１項に記載の方法を実行させるコンピュータプログラム。
【発明の詳細な説明】
【技術分野】
【０００１】
本出願はコンピュータの技術分野に関し、具体的には、端末セキュリティ、自動運転の技術分野に関し、特に端末を測位するための方法、装置、電子デバイス、コンピュータ可読記憶媒体及びコンピュータプログラムに関する。
【背景技術】
【０００２】
自動車の測位及び盗難防止は自動車のセキュリティの重要な一環であり、犯罪者が自動車を盗んだり車の所有者を乗っ取ったりし、偽造ナンバープレートなどの手段によって司法機関の捜査を回避するという報道がメディアでよくある。自動車の測位は車両の位置をリアルタイムに追跡し、犯罪者の走査に強力な保障を提供することができる。どのように密かに自動車を精巧に測位及び追跡し、様々な偽装トリックを見破れるかは、測位を利用して追跡及び盗難防止を行う鍵である。
【発明の概要】
【０００３】
端末を測位するための方法、装置、デバイス及び記憶媒体を提供する。
【０００４】
第１態様によれば、管理端末から送信される第１情報を受信する場合、第１情報が所定の第１文字列を含むか否かを特定するステップと、第１情報が第１文字列を含むと特定する場合、被管理端末の位置情報を特定するステップと、ネットワーク接続状態を特定するステップと、ネットワーク接続状態に基づいて、位置情報を出力するステップと、を含む端末を測位するための方法を提供する。
【０００５】
第２態様によれば、被管理端末から送信される第３情報を受信する場合、第１メッセージが基地局識別子及びセル識別子を含むか否かを特定するステップであって、第３情報は、被管理端末が管理端末から送信される所定の第１文字列を含むメッセージに応答して、ネットワーク接続状態に応じて送信されるステップと、第３情報が基地局識別子及びセル識別子を含むと特定する場合、被管理端末を測位するように基地局識別子及びセル識別子をサーバに送信するステップと、を含む端末を測位するための方法を提供する。
【０００６】
第３態様によれば、端末から送信される第４情報を受信する場合、第４情報に含まれるＳＩＭカードの識別子を特定するステップと、第４情報を解析し、位置情報を特定するステップと、ＳＩＭカードの識別子に基づいて、位置情報を出力するステップと、を含む端末を測位するための方法を提供する。
【０００７】
第４態様によれば、管理端末から送信される第１情報を受信する場合、第１情報が所定の第１文字列を含むか否かを特定するように構成される第１判断ユニットと、第１情報が第１文字列を含むと特定する場合、被管理端末の位置情報を特定するように構成される位置特定ユニットと、ネットワーク接続状態を特定するように構成されるネットワーク特定ユニットと、ネットワーク接続状態に基づいて、位置情報を出力するように構成される第１位置出力ユニットと、を含む端末を測位するための装置を提供する。
【０００８】
第５態様によれば、被管理端末から送信される第３情報を受信する場合、第１メッセージが基地局識別子及びセル識別子を含むか否かを特定ように構成される第２判断ユニットであって、第３情報は、被管理端末が管理端末から送信される所定の第１文字列を含むメッセージに応答して、ネットワーク接続状態に応じて送信される第２判断ユニットと、第３情報が基地局識別子及びセル識別子を含むと特定する場合、被管理端末を測位するように基地局識別子及びセル識別子をサーバに送信するように構成される情報送信ユニットと、を含む端末を測位するための装置を提供する。
【０００９】
第６態様によれば、端末から送信される第４情報を受信する場合、第４情報に含まれるＳＩＭカードの識別子を特定するように構成される第３判断ユニットと、第４情報を解析し、位置情報を特定するように構成される情報解析ユニットと、ＳＩＭカードの識別子に基づいて、位置情報を出力するように構成される第２位置出力ユニットと、を含む端末を測位するための装置を提供する。
【００１０】
第７態様によれば、少なくとも１つのプロセッサと、少なくとも１つのプロセッサに通信可能に接続されるメモリと、を含み、メモリには少なくとも１つのプロセッサによって実行可能な命令が記憶されており、命令が少なくとも１つのプロセッサにより実行されると、第１態様に記載の方法を少なくとも１つのプロセッサに実行させる電子デバイスを提供する。
【００１１】
第８態様によれば、少なくとも１つのプロセッサと、少なくとも１つのプロセッサに通信可能に接続されるメモリと、を含み、メモリには少なくとも１つのプロセッサによって実行可能な命令が記憶されており、命令が少なくとも１つのプロセッサにより実行されると、第２態様に記載の方法を少なくとも１つのプロセッサに実行させる電子デバイスを提供する。
【００１２】
第９態様によれば、少なくとも１つのプロセッサと、少なくとも１つのプロセッサに通信可能に接続されるメモリと、を含み、メモリには少なくとも１つのプロセッサによって実行可能な命令が記憶されており、命令が少なくとも１つのプロセッサにより実行されると、第３態様に記載の方法を少なくとも１つのプロセッサに実行させる電子デバイスを提供する。
【００１３】
第１０態様によれば、第１態様に記載の方法をコンピュータに実行させるためのコンピュータ命令が記憶されている非一時的なコンピュータ可読記憶媒体を提供する。
【００１４】
第１１態様によれば、第２態様に記載の方法をコンピュータに実行させるためのコンピュータ命令が記憶されている非一時的なコンピュータ可読記憶媒体を提供する。
【００１５】
第１２態様によれば、第３態様に記載の方法をコンピュータに実行させるためのコンピュータ命令が記憶されている非一時的なコンピュータ可読記憶媒体を提供する。
【００１６】
第１３態様によれば、コンピュータプログラムであって、プロセッサにより実行されると、第１〜３態様の何れかに記載の方法を実行させるコンピュータプログラムを提供する。
【００１７】
本出願の技術によれば、従来の車両盗難防止方法が犯罪者によって解読されやすい問題を解決し、端末を非常に密かに測位及び追跡し、端末のセキュリティを向上させることができる。
【００１８】
なお、この部分に記載されている内容は、本開示の実施例のキー又は重要な特徴を特定することを意図するものではなく、本開示の範囲を限定するものでもないことを理解される。本開示の他の特徴は以下の明細書によって理解しやすくなる。
【図面の簡単な説明】
【００１９】
図面は、本解決案をよりよく理解するために使用されており、本出願を限定するものではない。
【図１】本出願の一実施例を適用できる例示的なシステムアーキテクチャ図である。
【図２】本出願に係る端末を測位するための方法の一実施例のフローチャートである。
【図３】本出願に係る端末を測位するための方法の別の実施例のフローチャートである。
【図４】図３に示される実施例の適用シーンの模式図である。
【図５】本出願に係る端末を測位するための方法のさらに別の実施例のフローチャートである。
【図６】本出願に係る端末を測位するための方法のさらに別の実施例のフローチャートである。
【図７】本出願に係る端末を測位するための装置の一実施例の構造模式図である。
【図８】本出願に係る端末を測位するための装置の別の実施例の構造模式図である。
【図９】本出願に係る端末を測位するための装置のさらに別の実施例の構造模式図である。
【図１０】本出願の実施例に係る端末を測位するための方法を実現するための電子デバイスのブロック図である。
【発明を実施するための形態】
【００２０】
以下、図面を参照しながら本出願の例示的な実施例を説明するが、この説明には、理解を容易にするために本出願の実施例の様々な詳細が含まれるが、これらは単に例示的なものであると考えるべきである。従って、当業者が理解できるように、本出願の範囲及び精神を逸脱することなく、ここで記載される実施例に様々な変更や修正を加えることができる。同様に、以下の説明では、周知の機能及び構造については、明確化及び簡明化のために説明を省略する。
【００２１】
なお、矛盾しない限り、本出願の実施例及び実施例の特徴を互いに組み合わせることができる。以下、図面及び実施例を参照しながら本出願を詳細に説明する。
【００２２】
図１は本出願に係る端末を測位するための方法又は端末を測位するための装置の実施例を適用できる例示的なシステムアーキテクチャ１００を示す。
【００２３】
図１に示すように、システムアーキテクチャ１００は端末デバイス１０１、１０２、１０３、ネットワーク１０４及びサーバ１０５を含んでもよい。ネットワーク１０４は端末デバイス１０１、１０２、１０３及びサーバ１０５の間で通信リンクの媒体を提供することに用いられる。ネットワーク１０４は、例えば、有線、無線通信リンク又は光ファイバケーブルなどの様々な接続タイプを含んでもよい。
【００２４】
ユーザーは端末デバイス１０１、１０２、１０３を用いてネットワーク１０４を介してサーバ１０５と対話でき、メッセージなどを受信又は送信する。端末デバイス１０１、１０２、１０３には、例えば、音声認識用アプリケーションなどの様々な通信クライアントアプリケーションがインストールされてもよい。端末デバイス１０１、１０２、１０３には、測位コンポーネント（例えば、ＧＰＳチップ）、画像収集装置などがさらにインストールされてもよい。上記端末デバイス１０１、１０２、１０３は管理端末及び被管理端末を含んでもよい。管理端末は様々な方式によって被管理端末の位置情報を取得できる。例えば、一方は携帯電話側、他方は車載デバイス側であり、又は、一方は親側、他方は児童側である。
【００２５】
端末デバイス１０１、１０２、１０３はハードウェアであってもよく、ソフトウェアであってもよい。端末デバイス１０１、１０２、１０３がハードウェアである場合、様々な電子デバイスであってもよく、スマートフォン、タブレットコンピュータ、カーコンピュータ、ラップトップコンピュータ及びデスクトップコンピュータなどを含むが、これらに限定されない。端末デバイス１０１、１０２、１０３がソフトウェアである場合、上記例示された電子デバイスにインストールできる。複数のソフトウェア又はソフトウェアモジュール（例えば、分散型サービスを提供するためのもの）として実現されてもよく、単一のソフトウェア又はソフトウェアモジュールとして実現されてもよい。ここでは特に限定しない。
【００２６】
サーバ１０５は様々なサービスを提供するサーバであってもよく、例えば、端末デバイス１０１、１０２、１０３に言語モデルを提供するバックエンドサーバが挙げられる。バックエンドサーバは訓練サンプルを用いて初期言語モデルを訓練し、目標言語モデルを得て、目標言語モデルを端末デバイス１０１、１０２、１０３にフィードバックすることができる。
【００２７】
なお、サーバ１０５はハードウェアであってもよく、ソフトウェアであってもよい。サーバ１０５がハードウェアである場合、複数のサーバからなる分散型サーバクラスタとして実現されてもよく、単一のサーバとして実現されてもよい。サーバ１０５がソフトウェアである場合、複数のソフトウェア又はソフトウェアモジュール（例えば、分散型サービスを提供するためのもの）として実現されてもよく、単一のソフトウェア又はソフトウェアモジュールとして実現されてもよい。ここでは特に限定しない。
【００２８】
なお、本出願の実施例に係る端末を測位するための方法は端末デバイス１０１、１０２、１０３によって実行されてもよく、サーバ１０５によって実行されてもよい。対応して、端末を測位するための装置は端末デバイス１０１、１０２、１０３内に設置されてもよく、サーバ１０５内に設置されてもよい。
【００２９】
なお、図１中の端末デバイス、ネットワーク及びサーバの数は単に例示的なものである。実現需要に応じて、任意数の端末デバイス、ネットワーク及びサーバを有することができる。
【００３０】
続いて図２に示すように、本出願に係る端末を測位するための方法の一実施例のプロセス２００を示す。本実施例の端末を測位するための方法は、被管理端末に適用され、被管理端末は車載デバイス、携帯電話、タブレットコンピュータなどであり得る。本実施例の方法は以下のステップ２０１〜２０４を含んでもよい。
【００３１】
ステップ２０１、管理端末から送信される第１情報を受信する場合、第１情報が所定の第１文字列を含むか否かを特定する。
【００３２】
本実施例では、端末を測位するための方法の実行主体（被管理端末）はもう１つの端末（管理端末）とバインディングでき、管理端末は携帯電話、タブレットコンピュータなどであり得る。被管理端末は管理端末から送信される第１情報を受信し、第１情報を受信した後、第１情報が所定の第１文字列を含むか否かを検出する。上記第１文字列は、予め設定された複数の文字を含む任意のテキストであってもよく、例えば、「車両捜し」、「１１１１」などであってもよい。
【００３３】
いくつかの特定の適用シーンでは、被管理端末内に加入者識別モジュールカード（ＳＩＭカード、Ｓｕｂｓｃｒｉｂｅｒ  Ｉｄｅｎｔｉｔｙ  Ｍｏｄｕｌｅ）が設置されてもよく、他の端末は上記ＳＩＭカードの識別子により実行主体に情報を送信できる。実行主体は所定のショットメッセージブロッキングサービスによって、実行主体に送信されるすべての情報をブロッキングできる。上記情報の送信者が管理端末内に設置されたＳＩＭカードの識別子であるか否か、又は所定の番号であるか否かを分析する。ＹＥＳである場合、ショットメッセージのコンテンツを分析する。
【００３４】
上記ショットメッセージブロッキングサービスは、複数行のコードからなるソフトウェアモジュールであってもよく、被管理端末にインストールされた他のアプリケーションプログラムに集積できる。
【００３５】
ステップ２０２、第１情報が第１文字列を含むと特定する場合、被管理端末の位置情報を特定する。
【００３６】
本実施例では、被管理端末は、第１情報が第１文字列を含むと特定する場合、被管理端末の位置情報を特定できる。具体的には、被管理端末は、それにインストールされた測位コンポーネント（例えば、ＧＰＳチップ）によって測位でき、又はモバイルネットワークにアクセスすることによって測位できる。上記位置情報は経緯度情報を含んでもよく、基地局識別子及びセル識別子を含んでもよい。通信分野では、１つの基地局は複数のセクタを有することができ、各セクタは複数のキャリヤ周波数を有することができ、基地局におけるキャリヤ周波数ごとに１つのセルが対応する。上記基地局識別子及びセル識別子は従来の技術によって得られ、ここでは詳細説明をしない。
【００３７】
ステップ２０３、ネットワーク接続状態を特定する。
【００３８】
本実施例では、被管理端末はさらに自体の現在のネットワーク接続状態を特定できる。具体的には、実行主体は要求又は情報を基地局に送信ことを試みることによって、ネットワークにアクセスできるか否かを特定する。上記ネットワーク接続状態はネットワークアクセス可能状態及びネットワークアクセス不能状態を含んでもよい。
【００３９】
ステップ２０４、ネットワーク接続状態に基づいて、位置情報を出力する。
【００４０】
本実施例では、被管理端末は、ネットワーク接続状態を特定した後、ネットワーク接続状態に基づいて、位置情報を出力できる。具体的には、ネットワーク接続状態がネットワークアクセス可能状態である場合、被管理端末は位置情報をネットワークアクセス可能状態にある他の電子デバイス（例えば、サーバ又は管理端末）に出力できる。ネットワーク接続状態がネットワークアクセス不能状態である場合、実行主体は位置情報を被管理端末自体の電子デバイス（例えば、メモリなど）に出力でき、又は位置情報をショットメッセージの形式で他の電子デバイス（例えば、管理端末など）に送信できる。
【００４１】
本出願の上記実施例に係る端末を測位するための方法によれば、被管理端末を非常に密かに測位及び追跡し、被管理端末のセキュリティを向上させることができる。
【００４２】
続いて図３に示すように、本出願に係る端末を測位するための方法の別の実施例のプロセス３００を示す。本実施例では、被管理端末内にＳＩＭカードが設置され、被管理端末とバインディングされる管理端末内にもＳＩＭカードが設置されている。被管理端末又は管理端末は被管理端末のＳＩＭカードの識別子、管理端末のＳＩＭカード識別子及び被管理端末のデバイス識別子を、被管理端末、管理端末に通信可能に接続されるサーバに送信できる。サーバは上記情報を受信した後、それらをバインディング記憶できる。ここで、被管理端末のデバイス識別子はそのハードウェアデバイスの識別子、例えばフレーム番号又は携帯電話のシリアル番号であり得る。また、被管理端末に測位コンポーネントが装着されてもよい。
【００４３】
図３に示すように、本実施例の端末を測位するための方法は、以下のステップステップ３０１〜ステップ３０８を含んでもよい。
【００４４】
ステップ３０１、管理端末から送信される第１情報を受信する場合、第１情報が所定の第１文字列を含むか否かを特定する。
【００４５】
管理端末を使用するユーザーは、被管理端末が危険状態（例えば、盗まれ、壊されなどの状態）にあると特定する場合、第１情報を被管理端末に送信できる。上記第１情報は所定の第１文字列を含んでもよい。
【００４６】
ステップ３０２、第１情報が第１文字列を含むと特定する場合、位置情報を特定し、盗難防止設定を行う。
【００４７】
本実施例では、被管理端末は、第１情報が第１文字列を含むと特定する場合、測位コンポーネントを使用する権限を取得できる。測位コンポーネントによって、位置情報を特定する。被管理端末はさらに盗難防止設定を行うことができる。ここで、盗難防止設定は、被管理端末に接続された画像収集装置をオンにして関係者の画像を収集することを含んでもよい。盗難防止設定はさらに、測位コンポーネント権限に対するオフ命令及びネットワーク接続状態をオフにする命令の処理を停止することを含んでもよい。つまり、盗難防止設定を行った後、ユーザーが取得した測位コンポーネントの権限をオフにし、又はユーザーがネットワーク接続をオフにしようとしても、実現できない。理解できるように、上記盗難防止設定はさらに、シャットダウン禁止などの設定を含んでもよい。上記盗難防止設定は、被管理端末の内部に予め設定されたコード実行ファイルによって実現されてもよく、被管理端末にインストールされているアプリケーションプログラムに集積されたソフトウェアモジュールによって実現されてもよい。
【００４８】
ステップ３０３、ネットワーク接続状態を特定する。
【００４９】
ステップ３０４、ネットワーク接続状態がネットワークアクセス可能状態である場合、位置情報をサーバに出力する。
【００５０】
本実施例では、ネットワーク接続状態がネットワークアクセス可能状態である場合、被管理端末は位置情報をサーバに出力できる。サーバは位置情報を受信でき、その後、位置情報を管理端末に送信できる。いくつかの特定の適用シーンでは、サーバはさらに、上記位置情報を含む地図データを管理端末に送信できる。
【００５１】
ステップ３０５、ネットワーク接続状態がネットワークアクセス不能状態である場合、第１ＳＩＭカードの識別子に対応する基地局識別子及びセル識別子を取得する。
【００５２】
本実施例では、ネットワーク接続状態がネットワークアクセス不能状態である場合、被管理端末は第１ＳＩＭカードの識別子に対応する基地局識別子及びセル識別子を取得できる。具体的には、被管理端末は、従来の基地局識別子特定方法によって上記基地局識別子及びセル識別子を特定できる。
【００５３】
ステップ３０６、解析を行うように、基地局識別子及びセル識別子を管理端末に送信する。
【００５４】
被管理端末は基地局識別子及びセル識別子を特定した後、解析を行うように、基地局識別子及びセル識別子を管理端末に送信できる。管理端末は上記基地局識別子及びセル識別子を受信した後、サーバが基地局識別子及びセル識別子を解析するように、基地局識別子及びセル識別子をサーバに転送でき、上記基地局識別子及びセル識別子に対応する範囲情報を特定する。理解できるように、被管理端末が基地局識別子及びセル識別子を管理端末に送信する際に、管理端末が容易に解析できるように所定の識別子によって基地局識別子とセル識別子を区別できる。
【００５５】
ステップ３０７、管理端末から送信される第２情報を受信する場合、第２情報が所定の第２文字列を含むか否かを特定する。
【００５６】
管理端末を使用するユーザーは、被管理端末が危険状態ではないと特定する場合、第２情報を被管理端末に送信できる。上記第２情報は所定の第２文字列を含んでもよい。
【００５７】
本実施例では、被管理端末はさらに管理端末から送信される第２情報を受信し、上記第２情報を受信する時又は受信した後、第２情報が所定の第２文字列を含むか否かを判断することができる。上記第２文字列は任意の文字からなる文字列であってもよく、第１文字列と異なってもよい。
【００５８】
ステップ３０８、第２情報が所定の第２文字列を含むと特定する場合、盗難防止設定を解除する。
【００５９】
被管理端末は、第２情報が所定の第２文字列を含むと特定した後、盗難防止設定を解除できる。具体的には、被管理端末はもう１つのコード実行ファイルによって実現され、又は盗難防止設定を行う関連コード実行ファイルを削除することによって実現されてもよい。
【００６０】
続いて図４に示すように、本出願に係る端末を測位するための方法の一適用シーンの模式図を示す。図４の適用シーンでは、携帯電話４０１内にも車載デバイス４０２内にもＳＩＭカードが設置されており、携帯電話４０１は管理端末、車載デバイス４０２は被管理端末である。ユーザーは携帯電話４０１によって携帯電話４０１中のＳＩＭカード識別子、車載デバイス中のＳＩＭカード識別子及び車両識別子（フレーム番号）をサーバ４０４に送信してバインディングする。ユーザーは携帯電話４０１によって第１情報を車載デバイス４０２に送信し、車載デバイス４０２に対して盗難防止設定及び測位を実現することができる。車載デバイス４０２の位置を特定し、且つ車載デバイス４０２が危険状態ではないと確認した後、盗難防止設定を解除するように第２情報を車載デバイス４０２に送信できる。
【００６１】
本出願の上記実施例に係る端末を測位するための方法は、適切なタイミングで被管理端末に対して盗難防止設定及び盗難防止設定解除を行うことができ、また、様々な方式で被管理端末を測位することによって、被管理端末のセキュリティを大幅に向上させる。
【００６２】
続いて図５に示すように、本出願に係る端末を測位するための方法の一実施例のプロセス５００を示す。本実施例の方法は管理端末に適用できる。図５に示すように、本実施例の端末を測位するための方法は以下のステップ５０１〜５０２を含んでもよい。
【００６３】
ステップ５０１、管理端末から送信される第３情報を受信する場合、第３情報が基地局識別子及びセル識別子を含むか否かを特定する。
【００６４】
本実施例では、管理端末は被管理端末から送信される第３情報を受信できる。第３情報を受信する時又は受信した後、第３情報が基地局識別子及びセル識別子を含むか否かを判断する。具体的には、実行主体は第３情報が所定の識別子を含むか否かを判断することによって、第３情報中の基地局識別子及びセル識別子を特定できる。
【００６５】
本実施例では、上記第３情報は、被管理端末が所定の第１文字列を含むメッセージを受信する時又は受信した後、ネットワーク接続状態に応じて管理端末に送信される。具体的には、上記第３情報は、被管理端末が第１文字列を含むメッセージを受信する時又は受信した後、且つネットワーク接続状態がネットワークアクセス不能状態であると特定した後、管理端末に送信される。上記所定の第１文字列を含むメッセージは、管理端末を使用するユーザーにより被管理端末が危険状態にあると特定されるとき、被管理端末に送信される。被管理端末は上記メッセージを受信した後、盗難防止設定を行うことができる。
【００６６】
ステップ５０２、第３情報が基地局識別子及びセル識別子を含むと特定する場合、被管理端末を測位するように基地局識別子及びセル識別子をサーバに送信する。
【００６７】
本実施例では、管理端末は、上記第３情報が基地局識別子及びセル識別子を含むと特定する場合、基地局識別子及びセル識別子をサーバに送信できる。このように、サーバは、上記基地局識別子及びセル識別子を受信した後、被管理端末を測位できる。具体的には、基地局識別子及びセル識別子に対応する範囲を特定し、上記範囲を被管理端末の位置情報とすることができる。
【００６８】
本実施例のいくつかの選択可能な実現形態では、上記方法はさらに、図５に示されていない以下のステップを含んでもよい。サーバから送信される地図データを受信する場合、自己位置情報を取得するステップであって、地図データはサーバが基地局識別子及びセル識別子に応じて対応する範囲情報を特定した後に送信されるステップ、地図データに自己位置情報及び範囲情報を表示するステップ。
【００６９】
本実現形態では、管理端末はさらに、サーバから送信される地図データを受信できる。上記地図データは、サーバが基地局識別子及びセル識別子に応じて対応する範囲情報を特定した後、実行主体に送信される。管理端末は上記地図データを受信した後、自己位置情報を取得できる。その後、ユーザーが被管理端末との位置関係をより直感的に特定できるように、上記地図データに上記範囲情報及び自己位置情報を表示する。
【００７０】
本実施例のいくつかの選択可能な実現形態では、被管理端末に第１ＳＩＭカードが装着され、管理端末に第２ＳＩＭカードが装着されている。上記方法はさらに、図５に示されていない以下のステップを含んでもよい。バインディングを行うように、第１ＳＩＭカードの識別子、第２ＳＩＭカードの識別子及び被管理端末のデバイス識別子をサーバに送信するステップ。
【００７１】
本実現形態では、管理端末はさらに、バインディングを行うように、第１ＳＩＭカードの識別子、第２ＳＩＭカードの識別子及び被管理端末のデバイス識別子をサーバに送信できる。
【００７２】
本実施例のいくつかの選択可能な実現形態では、管理端末を使用するユーザーは、被管理端末が危険状態ではないと特定する場合、被管理端末が盗難防止設定を解除するように、所定の第２文字列を含む情報を被管理端末に送信する。被管理端末のセキュリティを向上させるために、管理端末はさらに、所定の第２文字列を含む情報をサーバに送信するステップと、サーバから送信される認証情報を受信するステップと、認証情報に対応する応答情報をサーバに送信するステップとによって、被管理端末の盗難防止設定を解除できる。
【００７３】
ここで、管理端末は、まず、所定の第２文字列を含む情報をサーバに送信できる。サーバは上記情報を受信した後、管理端末を認証できる。具体的には、サーバは検証コード又は他の検証情報を管理端末に送信できる。管理端末は上記認証情報を受信した後、認証情報に対応する応答情報をサーバに送信できる。上記応答情報は固定パスワードであってもよく、認証情報中の検証コードなどであってもよい。サーバは、上記応答情報を受信した後、管理端末が被管理端末の盗難防止設定を解除する権限を有するか否かを判断する。権限を有する場合、サーバは盗難防止設定を解除する命令を被管理端末に直接送信できる。
【００７４】
本出願の上記実施例に係る端末を測位するための方法は、被管理端末から送信される情報を受信した後、それに含まれる基地局識別子及びセル識別子を抽出し、サーバが被管理端末を測位するように上記情報をサーバに送信することができ、それにより被管理端末のセキュリティを向上させる。
【００７５】
続いて図６に示すように、本出願に係る端末を測位するための方法の一実施例のプロセス６００を示す。本実施例の方法はサーバに適用できる。図６に示すように、本実施例の端末を測位するための方法は以下のステップ６０１〜６０３を含んでもよい。
【００７６】
ステップ６０１、端末から送信される第４情報を受信する場合、第４情報に含まれるＳＩＭカードの識別子を特定する。
【００７７】
本実施例では、ここでの端末は管理端末であってもよく、被管理端末であってもよい。２つの端末はいずれも第４情報をサーバに送信でき、サーバは第４情報に含まれるＳＩＭカードの識別子に応じて、第４情報を送信する端末が管理端末であるか被管理端末であるかを区別できる。図４の適用シーンを例に、サーバはＳＩＭカード識別子によって、第４情報が車載デバイス３０２から送信されるか携帯電話３０１から送信されるかを特定できる。
【００７８】
第４情報はさらに位置情報を含んでもよい。理解できるように、異なる端末が送信する情報は、含まれるコンテンツが異なる。管理端末がサーバに送信する第４情報は基地局識別子及びセル識別子を含んでもよく、被管理端末がサーバに送信する第４情報は経緯度情報を含んでもよい。
【００７９】
ステップ６０２、第４情報を解析し、位置情報を特定する。
【００８０】
サーバは、第４情報を受信した後、第４情報を解析し、位置情報を特定することができる。具体的には、第４情報が経緯度情報を含む場合、サーバは直接上記経緯度情報を位置情報とすることができる。第４情報が基地局識別子及びセル識別子を含む場合、サーバは上記基地局識別子及びセル識別子に対応する範囲情報を特定し、上記範囲情報を位置情報とすることができる。
【００８１】
ステップ６０３、ＳＩＭカードの識別子に基づいて、位置情報を出力する。
【００８２】
最後に、サーバは、ＳＩＭカードの識別子に基づいて、位置情報を出力できる。具体的には、サーバは上記位置情報を、ＳＩＭカードの識別子に対応する端末に出力でき、又は上記端末とバインディングされる端末に出力できる。いくつかの特定の応用では、サーバは、第４情報が管理端末により送信されると特定する場合、位置情報を管理端末に出力する。サーバは、第４情報が被管理端末により送信されると特定する場合、位置情報を管理端末に出力する。
【００８３】
本実施例のいくつかの選択可能な実現形態では、第４情報は基地局識別子及びセル識別子を含む。上記ステップ６０２は具体的には、図６に示されていない以下のステップによって実現できる。基地局識別子及びセル識別子に対応する範囲情報を位置情報として特定するステップ。
【００８４】
本実現形態では、第４情報が基地局識別子及びセル識別子を含む場合、サーバは、基地局識別子及びセル識別子に対応する範囲情報を位置情報として特定できる。
【００８５】
本実施例のいくつかの選択可能な実現形態では、上記ステップ６０３は具体的には、図６に示されていない以下のステップによって実現できる。ＳＩＭカードの識別子及び所定の管理端末ＳＩＭカード識別子リストに応じて、端末が管理端末であるか否かを特定するステップ、端末が管理端末であると特定する場合、位置情報を端末に出力するステップ、端末が管理端末ではないと特定する場合、位置情報を端末とバインディングされる管理端末に出力するステップ。
【００８６】
本実現形態では、サーバは、ＳＩＭカードの識別子及び所定の管理端末ＳＩＭカード識別子リストに応じて、第４情報を送信する端末が管理端末であるか否かを特定できる。第４情報を送信する端末が管理端末である場合、実行主体は、位置情報を上記端末に送信できる。第４情報を送信する端末が管理端末ではない場合、実行主体は位置情報を端末とバインディングされる管理端末に送信できる。
【００８７】
本実施例のいくつかの選択可能な実現形態では、上記管理端末ＳＩＭカード識別子リストは、管理端末ＳＩＭカード識別子、被管理端末ＳＩＭカード識別子及び被管理端末デバイス識別子を受信するステップと、受信した識別子をバインディング記憶し、管理端末ＳＩＭカード識別子を管理端末ＳＩＭカード識別子リストに追加するステップとによって得られる。
【００８８】
本実現形態では、サーバは、管理端末又は被管理端末から管理端末ＳＩＭカード識別子、被管理端末ＳＩＭカード識別子及び被管理端末デバイス識別子を受信できる。その後、それらをバインディング記憶し、管理端末ＳＩＭカード識別子を管理端末ＳＩＭカード識別子リストに追加し、管理端末ＳＩＭカード識別子リストの保守を実現する。
【００８９】
本実施例のいくつかの選択可能な実現形態では、上記方法はさらに、図６に示されていない以下のステップを含んでもよい。上記位置情報を含む地図データを出力するステップ。
【００９０】
本実現形態では、サーバはさらに、管理端末が地図における上記位置情報の位置をより直感的かつ明確に視認できるように、上記位置情報を含む地図データを管理端末に出力できる。
【００９１】
本実施例のいくつかの選択可能な実現形態では、上記方法はさらに、図６に示されていない以下のステップを含んでもよい。管理端末から送信される所定の第２文字列を含む第２情報を受信する場合、認証情報を管理端末に送信するステップ、認証情報に対応する正確な応答情報を受信する場合、盗難防止設定解除命令を被管理端末に送信するステップ。
【００９２】
本実現形態では、被管理端末のセキュリティを向上させるために、管理端末は、まず、所定の第２文字列を含む情報をサーバに送信できる。サーバは、上記情報を受信した後、管理端末を認証できる。具体的には、サーバは、検証コード又は他の検証情報を管理端末に送信できる。管理端末は上記認証情報を受信した後、認証情報に対応する応答情報をサーバに送信できる。上記応答情報は固定パスワードであってもよく、認証情報中の検証コードなどであってもよい。サーバは、上記応答情報を受信した後、管理端末が被管理端末の盗難防止設定を解除する権限を有するか否かを判断する。権限を有する場合、サーバは盗難防止設定を解除する命令を被管理端末に直接送信できる。
【００９３】
本出願の上記実施例に係る端末を測位するための方法は、管理端末及び被管理端末から送信される情報を受信して位置情報を特定し、位置情報を出力することができ、それにより被管理端末のセキュリティを向上させることができる。
【００９４】
さらに図７に示すように、上記各図に示される方法の実現として、本出願は端末を測位するための装置の一実施例を提供し、該装置実施例は図２に示される方法実施例に対応し、該装置は具体的には様々な電子デバイスに適用できる。
【００９５】
図７に示すように、本実施例の端末を測位するための装置７００は第１判断ユニット７０１、位置特定ユニット７０２、ネットワーク特定ユニット７０３及び第１位置出力ユニット７０４を含む。
【００９６】
第１判断ユニット７０１は、管理端末から送信される第１情報を受信する場合、第１情報が所定の第１文字列を含むか否かを特定するように構成される。
【００９７】
位置特定ユニット７０２は、第１情報が第１文字列を含むと特定する場合、被管理端末の位置情報を特定するように構成される。
【００９８】
ネットワーク特定ユニット７０３は、ネットワーク接続状態を特定するように構成される。
【００９９】
第１位置出力ユニット７０４は、ネットワーク接続状態に基づいて、位置情報を出力するように構成される。
【０１００】
本実施例のいくつかの選択可能な実現形態では、装置７００はさらに、図７に示されていない盗難防止設定ユニットを含んでもよく、盗難防止設定ユニットは、第１情報が第１文字列を含むと特定する場合、盗難防止設定を行うように構成される。
【０１０１】
本実施例のいくつかの選択可能な実現形態では、被管理端末に第１ＳＩＭカードが装着されている。第１位置出力ユニット７０４はさらに、ネットワーク接続状態がネットワークアクセス可能状態である場合、位置情報をサーバに出力するように構成される。
【０１０２】
本実施例のいくつかの選択可能な実現形態では、第１位置出力ユニット７０４はさらに、ネットワーク接続状態がネットワークアクセス不能状態である場合、第１ＳＩＭカードの識別子に対応する基地局識別子及びセル識別子を取得し、解析を行うように、基地局識別子及びセル識別子を管理端末に送信するように構成される。
【０１０３】
本実施例のいくつかの選択可能な実現形態では、管理端末に第２ＳＩＭカードが装着されている。装置７００はさらに、図７に示されていない第１識別子送信ユニットを含んでもよく、第１識別子送信ユニットは、バインディングを行うように、第１ＳＩＭカードの識別子、第２ＳＩＭカードの識別子及び被管理端末のデバイス識別子をサーバに送信するように構成される。
【０１０４】
本実施例のいくつかの選択可能な実現形態では、装置７００はさらに、図７に示されていない盗難防止解除ユニットを含んでもよく、盗難防止解除ユニットは、管理端末から送信される第２情報を受信する場合、第２情報が所定の第２文字列を含むか否かを特定し、第２情報が所定の第２文字列を含むと特定する場合、盗難防止設定を解除するように構成される。
【０１０５】
なお、端末を測位するための装置７００に記載されているユニット７０１〜ユニット７０４はそれぞれ図２を参照して説明される方法の各ステップに対応する。それにより、以上端末を測位するための方法について説明された操作及び特徴は同様に、装置７００及びそれに含まれるユニットに適用でき、ここでは詳細説明をしない。
【０１０６】
さらに図８に示すように、上記各図に示される方法の実現として、本出願は端末を測位するための装置の一実施例を提供し、該装置実施例は図５に示される方法実施例に対応し、該装置は具体的には様々な電子デバイスに適用できる。
【０１０７】
図８に示すように、本実施例の端末を測位するための装置８００は第２判断ユニット８０１及び情報送信ユニット８０２を含む。
【０１０８】
第２判断ユニット８０１は、被管理端末から送信される第３情報を受信する場合、第１メッセージが基地局識別子及びセル識別子を含むか否かを特定するように構成され、第３情報は、被管理端末が管理端末から送信される所定の第１文字列を含むメッセージに応答して、ネットワーク接続状態に応じて送信される。
【０１０９】
情報送信ユニット８０２は、第３情報が基地局識別子及びセル識別子を含むと特定する場合、被管理端末を測位するように基地局識別子及びセル識別子をサーバに送信するように構成される。
【０１１０】
本実施例のいくつかの選択可能な実現形態では、装置８００はさらに、図８に示されていない位置取得ユニット及び位置表示ユニットを含んでもよい。
【０１１１】
位置取得ユニットは、サーバから送信される地図データを受信する場合、自己位置情報を取得するように構成され、地図データはサーバが基地局識別子及びセル識別子に応じて対応する範囲情報を特定した後に送信される。
【０１１２】
位置表示ユニットは、地図データに自己位置情報及び範囲情報を表示するように構成される。
【０１１３】
本実施例のいくつかの選択可能な実現形態では、被管理端末に第１ＳＩＭカードが装着され、管理端末に第２ＳＩＭカードが装着されている。装置８００はさらに、図８に示されていない第２識別子送信ユニットを含んでもよく、第２識別子送信ユニットは、バインディングを行うように、第１ＳＩＭカードの識別子、第２ＳＩＭカードの識別子及び被管理端末のデバイス識別子をサーバに送信するように構成される。
【０１１４】
なお、端末を測位するための装置８００に記載されているユニット８０１〜ユニット８０２はそれぞれ図５を参照して説明される方法の各ステップに対応する。それにより、以上端末を測位するための方法について説明される操作及び特徴は同様に、装置８００及びそれに含まれるユニットに適用でき、ここでは詳細説明をしない。
【０１１５】
さらに図９に示すように、上記各図に示される方法の実現として、本出願は端末を測位するための装置の一実施例を提供し、該装置実施例は図６に示される方法実施例に対応し、該装置は具体的には様々な電子デバイスに適用できる。
【０１１６】
図９に示すように、本実施例の端末を測位するための装置９００は第３判断ユニット９０１、情報解析ユニット９０２及び第２位置出力ユニット９０３を含む。
【０１１７】
第３判断ユニット９０１は、端末から送信される第４情報を受信する場合、第４情報に含まれるＳＩＭカードの識別子を特定するように構成される。
【０１１８】
情報解析ユニット９０２は、第４情報を解析し、位置情報を特定するように構成される。
【０１１９】
第２位置出力ユニット９０３は、ＳＩＭカードの識別子に基づいて、位置情報を出力するように構成される。
【０１２０】
本実施例のいくつかの選択可能な実現形態では、第４情報は基地局識別子及びセル識別子を含む。情報解析ユニット９０２はさらに、基地局識別子及びセル識別子に対応する範囲情報を位置情報として特定するように構成されてもよい。
【０１２１】
本実施例のいくつかの選択可能な実現形態では、第２位置出力ユニット９０３はさらに、ＳＩＭカードの識別子及び所定の管理端末ＳＩＭカード識別子リストに応じて、端末が管理端末であるか否かを特定し、端末が管理端末であると特定する場合、位置情報を端末に出力し、端末が管理端末ではないと特定する場合、位置情報を端末とバインディングされる管理端末に出力するように構成されてもよい。装置９００はさらに、図９に示されていないバインディングユニットを含んでもよく、バインディングユニットは、第１ＳＩＭカードの識別子、被管理端末のデバイス識別子及び第２ＳＩＭカードの識別子を受信し、受信した識別子をバインディング記憶し、第２ＳＩＭカードの識別子を管理端末ＳＩＭカード識別子リストに追加するように構成される。
【０１２２】
本実施例のいくつかの選択可能な実現形態では、装置９００はさらに、図９に示されていない地図出力ユニットを含んでもよく、地図出力ユニットは、位置情報を含む地図データを出力するように構成される。
【０１２３】
なお、端末を測位するための装置９００に記載されているユニット９０１〜ユニット９０３はそれぞれ図６を参照して説明される方法の各ステップに対応する。それにより、以上端末を測位するための方法について説明される操作及び特徴は同様に、装置９００及びそれに含まれるユニットに適用でき、ここでは詳細説明をしない。
【０１２４】
本出願の実施例によれば、本出願は、電子デバイス及び可読記憶媒体をさらに提供する。
【０１２５】
図１０に示すように、本出願の実施例に係る端末を測位するための方法を実行する電子デバイスのブロック図である。電子デバイスは、例えば、ラップトップコンピュータ、デスクトップコンピュータ、ワークステーション、パーソナルデジタルアシスタント、サーバ、ブレードサーバ、メインフレームコンピュータ、及びその他の適切なコンピュータなど、様々な形式のデジタルコンピュータを指すことを意図している。電子デバイスは、例えば、パーソナルデジタルアシスタント、携帯電話、スマートフォン、ウェアラブルデバイス及びその他の類似のコンピューティング装置など、様々な形式のモバイル装置を示してもよい。本明細書に示されているコンポーネント、それらの接続と関係、及びそれらの機能は単なる例であるが、本明細書の説明及び／又は要求される本出願の実現を制限する意図はしない。
【０１２６】
図１０に示すように、該電子デバイスは、１つ又は複数のプロセッサ１００１、メモリ１００２、及び高速インターフェースと低速インターフェースを含む、各コンポーネントを接続するためのインターフェースを含む。各コンポーネントは、異なるバスを介して互いに接続され、共通のマザーボードに取り付けられ、又は必要に応じて他の方式で取り付けられ得る。プロセッサは電子デバイス内で実行される命令を処理でき、この命令には、メモリ内に記憶される又はメモリ上に記憶されて外部入力／出力装置（例えば、インターフェースに結合された表示デバイス）にＧＵＩのグラフィック情報を表示する命令が含まれる。他の実施形態では、複数のプロセッサ及び／又は複数のバスを、必要に応じて、複数のメモリ及び複数のメモリとともに使用することができる。同様に、複数の電子デバイスを接続することができ、各デバイスは必要な操作の一部（例えば、サーバアレイ、ブレードサーバのグループ、又はマルチプロセッサシステムとして）を提供する。図１０では、１つのプロセッサ１００１の場合が例示されている。
【０１２７】
メモリ１００２は、本出願に係る非一時的なコンピュータ可読記憶媒体である。前記メモリは、本出願に係る端末を測位するための方法を前記少なくとも１つのプロセッサに実行させるように、少なくとも１つのプロセッサによって実行可能な命令を記憶している。本出願の非一時的なコンピュータ可読記憶媒体は、本出願に係る端末を測位するための方法をコンピュータに実行させるためのコンピュータ命令を記憶している。
【０１２８】
メモリ１００２は、非一時的なコンピュータ可読記憶媒体として、非一時的なソフトウェアプログラム、非一時的なコンピュータ実行可能なプログラム及びモジュール、例えば、本出願の実施例における端末を測位するための方法に対応するプログラム命令／モジュール（例えば、図７に示される第１判断ユニット７０１、位置特定ユニット７０２、ネットワーク特定ユニット７０３及び第１位置出力ユニット７０４、又は図８に示される第２判断ユニット８０１及び情報送信ユニット８０２、又は図９に示される第３判断ユニット９０１、情報解析ユニット９０２及び第２位置出力ユニット９０３）を記憶することができる。プロセッサ１００１は、メモリ１００２に記憶されている非一時的なソフトウェアプログラム、命令及びモジュールを実行することによって、サーバの様々な機能アプリケーション及びデータ処理を実行し、即ち、上記方法実施例における端末を測位するための方法を実現する。
【０１２９】
メモリ１００２はプログラム記憶領域及びデータ記憶領域を含むことができ、プログラム記憶領域はオペレーティングシステム、少なくとも１つの機能に必要なアプリケーションプログラムを記憶し、データ記憶領域は端末を測位するための方法を実行する電子デバイスの使用にしたがって作成されたデータなどを記憶する。また、メモリ１００２は、高速ランダムアクセスメモリを含み、さらに、例えば、少なくとも１つの磁気ディスクストレージデバイス、フラッシュメモリデバイス、又はその他の非一時的なソリッドステートストレージデバイスなどの非一時的なメモリを含んでもよい。いくつかの実施例では、メモリ１００２は、プロセッサ１００１に対して遠隔的に設置されるメモリを選択的に含んでもよく、これらのリモートメモリはネットワークを介して、端末を測位するための方法を実行する電子デバイスに接続され得る。上記ネットワークの例には、インターネット、企業イントラネット、ローカルエリアネットワーク、モバイル通信ネットワーク及びそれらの組合せが含まれるが、これらに限定されない。
【０１３０】
端末を測位するための方法を実行する電子デバイスは、入力装置１００３及び出力装置１００４をさらに含んでもよい。プロセッサ１００１、メモリ１００２、入力装置１００３及び出力装置１００４はバス又はその他の方式で接続してもよく、図１０には、バスによる接続が例示されている。
【０１３１】
入力装置１００３は、入力される数字又は文字情報を受信すること、端末を測位するための方法を実行する電子デバイス、例えば、タッチスクリーン、キーパッド、マウス、トラックパッド、タッチパッド、ポインタ、１つ又は複数のマウスボタン、トラックボール、ジョイスティックなどの入力装置のユーザー設定及び機能制御に関連するキー信号入力を生成することができる。出力装置１００４は、表示デバイス、補助照明装置（例えば、ＬＥＤ）及び触覚フィードバック装置（例えば、振動モータ）などを含んでもよい。該表示デバイスは、液晶ディスプレイ（ＬＣＤ）、発光ダイオード（ＬＥＤ）ディスプレイ及びプラズマディスプレイを含むが、これらに限定されない。いくつかの実施形態では、表示デバイスはタッチスクリーンであり得る。
【０１３２】
ここで説明するシステム及び技術の様々な実施形態は、デジタル電子回路システム、集積回路システム、専用ＡＳＩＣ（特定用途向け集積回路）、コンピュータハードウェア、ファームウェア、ソフトウェア、及び／又はそれらの組合せにおいて実現することができる。これらの様々な実施形態は、１つ又は複数のコンピュータプログラムにおいて実施され、該１つ又は複数のコンピュータプログラムは、少なくとも１つのプログラム可能なプロセッサを含むプログラム可能なシステムで実行及び／又は解釈され得、該プログラム可能なプロセッサは専用又は汎用のプログラム可能なプロセッサであってもよく、記憶システム、少なくとも１つの入力装置、及び少なくとも１つの出力装置からデータ及び命令を受信し、データ及び命令を該記憶システム、該少なくとも１つの入力装置、及び該少なくとも１つの出力装置に送信することができる。
【０１３３】
これらのコンピューティングプログラム（プログラム、ソフトウェア、ソフトウェアアプリケーション、又はコードとも呼ばれる）には、プログラム可能なプロセッサの機械命令が含まれ、ハイレベルプロセス及び／又はオブジェクト指向のプログラミング言語、及び／又はアセンブリ／機械語を用いてこれらのコンピューティングプログラムを実施できる。例えば、本明細書で使用される「機械可読媒体」及び「コンピュータ可読媒体」という用語は、機械命令及び／又はデータをプログラム可能なプロセッサの任意のコンピュータプログラム製品、デバイス、及び／又は装置（例えば、磁気ディスク、光ディスク、メモリ、プログラマブルロジック装置（ＰＬＤ））に提供するものを指し、機械可読信号としての機械命令を受信するための機械可読媒体を含む。「機械可読信号」という用語は、プログラム可能なプロセッサに機械命令及び／又はデータを提供するために使用される任意の信号を指す。
【０１３４】
ユーザーと対話できるように、ここで説明するシステム及び技術をコンピュータに実施することができ、該コンピュータは、ユーザーに情報を表示するための表示装置（例えば、ＣＲＴ（陰極線管）又はＬＣＤ（液晶ディスプレイ）モニタ）、ユーザーがコンピュータに入力することを可能とするキーボード及びポインティング装置（例えば、マウスやトラックボール）を有する。他の種類の装置も、ユーザーとの対話を提供することができ、例えば、ユーザーに提供するフィードバックは任意の形式の感覚フィードバック（例えば、視覚的フィードバック、聴覚的フィードバック、又は触覚的フィードバック）であってもよく、そして、ユーザーからの入力は、任意の形式（音響入力、音声入力、又は触覚入力を含む）で受信できる。
【０１３５】
ここで説明するシステム及び技術は、バックエンドコンポーネントを含むコンピューティングシステム（例えば、データサーバとして）、又はミドルウェアコンポーネントを含むコンピューティングシステム（例えば、アプリケーションサーバ）、又はフロントエンドコンポーネントを含むコンピューティングシステム（例えば、グラフィカルユーザーインターフェース又はＷＥＢブラウザーを有するユーザーコンピュータが挙げられ、ユーザーは該グラフィカルユーザーインターフェース又は該ＷＥＢブラウザーを介してここで説明するシステム及び技術の実施形態と対話できる）、又はこのようなバックエンドコンポーネント、ミドルウェアコンポーネント、又はフロントエンドコンポーネントの任意の組合せを含むコンピューティングシステムにおいて実施できる。システムのコンポーネントは、任意の形式又は媒体のデジタルデータ通信（例えば、通信ネットワーク）を介して相互に接続できる。通信ネットワークの例には、ローカルエリアネットワーク（ＬＡＮ）、ワイドエリアネットワーク（ＷＡＮ）及びインターネットが含まれる。
【０１３６】
コンピュータシステムには、クライアントとサーバを含むことができる。クライアントとサーバは通常、互いに遠く離れており、通信ネットワークを介して互いに対話するのが一般的である。クライアントとサーバの関係は、対応するコンピュータで実行され、互いにクライアント−サーバの関係を有するコンピュータプログラムによって生成される。
【０１３７】
本出願の実施例の技術案によれば、端末を非常に密かに測位及び追跡し、端末のセキュリティを向上させることができる。
【０１３８】
なお、上記の様々な形式のプロセスを用いて、ステップを改めて並べ替えたり、追加したり、削除したりすることができる。例えば、本出願に記載の各ステップは、本出願に開示されている技術案の所望の結果が達成できる限り、並行して実施しても、順次実施しても、異なる順序で実施してもよく、本明細書では、それについて限定しない。
【０１３９】
上記特定実施形態は、本出願の特許範囲に対する制限を構成するものではない。当業者にとって明らかなように、設計要件及び他の要因に応じて、様々な修正、組み合わせ、サブ組み合わせ、及び置換を行うことができる。本出願の精神及び原則の範囲内で行われた修正、同等の置換、及び改良などであれば、本出願の特許範囲に含まれるものとする。
【図１】
2022003327.tif 000003
【図２】
2022003327.tif 000004
【図３】
2022003327.tif 000005
【図４】
2022003327.tif 000006
【図５】
2022003327.tif 000007
【図６】
2022003327.tif 000008
【図７】
2022003327.tif 000009
【図８】
2022003327.tif 000010
【図９】
2022003327.tif 000011
【図１０】
2022003327.tif 000012
【外国語明細書】
2022003327000001.pdf